(57)【要約】【課題】便座に座った状態であっても芳香発生手段のメンテナンスを簡単に行うことのできる衛生洗浄装置を提供する。【解決手段】衛生洗浄装置１０は、洋式便器１上に設置され、洋式便器１のボウル部内の空気を吸引して排出する脱臭ファン付きの脱臭風路３を備え、衛生洗浄装置１０本体の側面に位置する上部カバー１０ａ側面の開口部１０ｂに臨む位置に脱臭風路３の排気口４が開設され、略長方形の排気口４の開口部分には、通気性を有するルーバ７が着脱可能に装着されている。ルーバ７に向かって左下のコーナ寄りの部分には、芳香剤容器５を挿入するための開口部７ａが開設され、この開口部７ａに芳香剤容器５が着脱可能に挿入されている。芳香剤容器５の収容部５ａには、液状の芳香剤が含浸された含浸用パッド６が着脱可能に収容されている。【選択図】  図２
2006138137.tif 000002
【特許請求の範囲】
【請求項１】
洋式便器上に設置され、前記洋式便器のボウル部内の空気を吸引して排出する脱臭ファン付きの脱臭風路を有する衛生洗浄装置において、前記脱臭風路の排気口を当該衛生洗浄装置本体の側面に開設し、前記脱臭風路の排気口近傍に芳香発生手段を着脱可能に取り付けたことを特徴とする衛生洗浄装置。
【請求項２】
前記芳香発生手段は、前記脱臭風路内に着脱可能に装着される芳香剤容器と、前記芳香剤容器に収容された芳香剤とからなることを特徴とする請求項1記載の衛生洗浄装置。
【請求項３】
前記芳香剤容器内に含浸用パッドを着脱可能に配置し、前記含浸用パッドに前記芳香剤を含浸させたことを特徴とする請求２記載の衛生洗浄装置。
【請求項４】
前記脱臭風路の排気口に、前記芳香剤容器を挿入するための開口部を有するルーバを配置したことを特徴とする請求項２または３記載の衛生洗浄装置。
【請求項５】
前記脱臭風路に前記芳香剤容器の収納部を設け、前記芳香剤容器を着脱可能に保持するためのラッチ機構を前記収納部内に設け、前記芳香剤容器を着脱する際の指先挿入スペースとなる凹部を前記ルーバの開口部に設けたことを特徴とする請求項４記載の衛生洗浄装置。
【請求項６】
前記芳香剤容器、前記容器収納部（または前記開口部）の一方に爪片を設け、他方に前記芳香剤容器を取り出す際に前記爪片が接触する受け面を設けたことを特徴とする請求項５記載の衛生洗浄装置。
【請求項７】
給水部と、前記給水部からの水により人体局部を洗浄するノズルと、前記給水部、前記ノズルの基部を収容する本体ケースとを備えた本体と、便座とを有する衛生洗浄装置において、前記便座と前記本体とを概略同じ幅とすると共に、芳香用排気口を前記本体ケースに開設した芳香揮発手段を備え、前記排気口近傍に芳香発生源の一部又は全部を本体ケース内に収納可能な収納部を設けたことを特徴とする衛生洗浄装置。
【発明の詳細な説明】
【技術分野】
【０００１】
本発明は、洋式便器に取り付けて使用される衛生洗浄装置であって、特に、便器から発生する臭気を消す機能を備えた衛生洗浄装置に関する。
【背景技術】
【０００２】
近年、洋式便器の多機能化が進み、便蓋・便座開閉機構あるいは排便後の衛生洗浄機構などを備えた衛生洗浄装置が便器上面の後部に取り付けられている。また、これらの機構に加え、便器から発生する臭気を消す機構を備えたものも開発されている（例えば、特許文献１，２参照。）。
【０００３】
特許文献１に記載された消臭機能付き便座は、便器から発生する臭気を吸引して消臭する機能を備えており、便器本体のボウル部から排気ファンで吸引した空気を排出するための脱臭風路の出口近くに芳香液剤を封入した消臭カセットを着脱自在に取り付けたものである。そして、脱臭風路の出口のフィルタ部分に消臭カセット内の芳香液を徐々に含浸させるようにして、脱臭風によりトイレ内に芳香を吹き出し、臭気をマスクするようにしたものである。この消臭機能付き便座では、使用者が便座に着座したときに限り芳香機能が作動し、使用者が不在のときには芳香機能が停止するようになっているので、芳香液を無駄にすることがない。
【０００４】
また、特許文献２に記載された芳香発生器は、消臭ファンを備えた消臭ダクトの前方に芳香発生装置を配設したものであり、この芳香発生装置は、消臭ダクトの下面に取り付けられた複数の容器本体と、これらの容器本体内部に充填された種類の異なる芳香剤と、消臭ダクト内部と連通させるため容器本体の上部に設けられた開口部と、この開口部に設けられた芳香ファンと、芳香ファン駆動用のモータとで構成されている。そして、互いに種類の異なる複数の芳香剤が充填された収納容器本体の開閉を制御することによって、異なった種類の芳香を楽しむことができるようにしたものである。
【０００５】
【特許文献１】実公平６−４８００号公報
【特許文献２】特開平４−２６１９２８号公報
【発明の開示】
【発明が解決しようとする課題】
【０００６】
特許文献１に記載された消臭機能付き便座においては、芳香液剤が無くなったら消臭カセットを交換しなければならないが、消臭カセットが衛生洗浄装置の袖部の下部に取り付けられているため、交換作業時に腰を屈めなければならず、作業が面倒であり、作業者の肉体的負担も大である。
【０００７】
また、特許文献２に記載された芳香発生器においても、芳香発生装置は、衛生洗浄装置の脱臭ダクトの中間付近に組み込まれているため、芳香剤が無くなったときの充填などのメンテナンス作業が大変である。
【０００８】
ところで、トイレで使用する芳香製品は、今や種々の形態のものが市販されている。それらの芳香製品の多くは、トイレ内に置く場所を必要とするが、トイレ内にカウンターや棚を設置している家庭はまだまだ少ない。芳香製品を床置きした場合、掃除の際に、その都度別の場所へ動かすのは面倒であるし、芳香製品を衛生洗浄装置の上面に置こうとしても、衛生洗浄装置の上面は一般的に傾斜しているので芳香製品が徐々に滑り落ちてしまうし、衛生洗浄装置がいわゆるシートタイプの場合には便蓋の開放の邪魔になるという問題を抱えていた。そのために、特許文献１に示す機構が考案されたのであるが、この機構においては衛生洗浄装置の大きな袖部（便器の側方に張り出した部分）に芳香液剤入りの消臭カセットを収納したため、芳香剤収納のために制限のあるトイレ内のスペースを失っていた。
【０００９】
本発明が解決しようとする第一の課題は、芳香発生手段のメンテナンスを簡単に行うことのできる衛生洗浄装置を提供することにあり、特に便座に座った状態であっても簡単にメンテナンスができるようにすることにある。
さらに、本発明が解決しようとする第二の課題は、芳香発生剤を便器からはみ出さずに収納することのできる衛生洗浄装置を提供することにある。
【課題を解決するための手段】
【００１０】
本発明の衛生洗浄装置は、洋式便器上に設置され、前記洋式便器のボウル部内の空気を吸引して排出する脱臭ファン付きの脱臭風路を有する衛生洗浄装置において、前記脱臭風路の排気口を当該衛生洗浄装置本体の側面に開設し、前記脱臭風路の排気口近傍に芳香発生手段を着脱可能に取り付けたことを特徴とする。
【００１１】
このような構成とすれば、衛生洗浄装置本体の側面に芳香発生手段が着脱可能な状態で位置することとなるため、使用者は便座に着座した姿勢のままで片手を伸ばして芳香手段から芳香剤容器を取り外して、そのメンテナンス、例えば、芳香剤の充填、取り替えなどを簡単に行うことができるようになる。
【００１２】
ここで、前記芳香発生手段は、前記脱臭風路内に着脱可能に装着される芳香剤容器と、前記芳香剤容器に収容された芳香剤とからなる構成とすれば、芳香剤容器を着脱し、芳香剤のみを取り替えることが可能となるため、メンテナンス性が向上する。
【００１３】
この場合、前記芳香剤容器内に含浸用パッドを着脱可能に配置し、前記含浸用パッドに前記芳香剤を含浸させることが望ましい。このような構成とすれば、芳香剤容器を取り外して、含浸用パッドに芳香剤を含浸させるだけで芳香剤の充填ができるようになるので、充填作業がさらに容易となる。
【００１４】
一方、前記脱臭風路の排気口に、前記芳香剤容器を挿入するための開口部を有するルーバを配置し、前記開口部に前記芳香剤容器を着脱可能に挿入することが望ましい。このような構成とすれば、芳香剤容器を着脱する部位がルーバに位置することとなるため、このような着脱部位を装置本体に設ける場合に比べ、外観上の違和感がなくなり、意匠性が向上する。
【００１５】
この場合、前記脱臭風路に前記芳香剤容器の収納部を設け、前記芳香剤容器を着脱可能に保持するためのラッチ機構を前記収納部内に設け、前記芳香剤容器を着脱する際の指先挿入スペースとなる凹部を前記ルーバの開口部に設けることが望ましい。このような構成とすれば、芳香剤容器を着脱する際の指先挿入スペースを前記凹部で確保することが可能となり、芳香剤容器のルーバ外への突出寸法を小さく抑制することができるため、装置外部への出っ張りを無くすことができる。
【００１６】
また、前記芳香剤容器、前記容器収納部（または前記開口部）の一方に爪片を設け、他方に前記芳香剤容器を取り出す際に前記爪片が接触する受け面を設けることが望ましい。このような構成とすれば、前記ラッチ機構から芳香剤容器が誤って飛び出すのを防止することができ、操作性も向上する。
【００１７】
さらに、本発明の衛生洗浄装置は、給水部と、前記給水部からの水により人体局部を洗浄するノズルと、前記給水部、ノズルの基部を収容する本体ケースとを備えた本体と、便座とを有する衛生洗浄装置において、前記便座と本体とを概略同じ幅とすると共に、芳香用排気口を前記本体ケースに開設した芳香揮発手段を備え、前記排気口近傍に芳香発生源の一部又は全部を本体ケース内に収納可能な収納部を設けたことを特徴とする。
ここで、芳香揮発手段とは、例えば送風ファンや加熱用ヒータであり、芳香発生源からの芳香成分の揮発を促進する手段を指す。また、芳香揮発手段は、芳香発生のための独立した装置としても、脱臭装置の送風ファンを兼用させてもよい。
【００１８】
このような構成とすれば、衛生洗浄装置本体ケースの排気口に芳香発生源が着脱可能な状態で配置されることとなるため、使用者は便座に着座した姿勢のままで片手を伸ばして芳香揮発手段から芳香発生源を取り外して、そのメンテナンス、例えば、芳香剤の充填、取り替えなどを簡単に行うことができるようになる。また、便座とほぼ同じ幅を有する衛生洗浄装置本体に芳香発生源の一部又は全部を収容する収容部を設けたので、便器の平面視の領域内に芳香発生源をほぼ収容することができるので、芳香発生装置がトイレ内で邪魔になることがない。
なお、芳香用排気口は、メンテナンスのしやすさから衛生洗浄装置本体の側面に開設するのが最も好ましいが、衛生洗浄装置の前面、後面、上面に設けても良い。
【発明の効果】
【００１９】
本発明により、便座に座った状態であっても芳香発生手段のメンテナンスを簡単に行うことができるようになる。
また、芳香発生源を、トイレ内で邪魔にならないように便器からはみ出さずに衛生洗浄装置に収納することができるようになる。
【発明を実施するための最良の形態】
【００２０】
以下、図面に基づいて、本発明の実施の形態について説明する。図１は本発明の実施の形態である衛生洗浄装置を示す斜視図、図２は前記衛生洗浄装置の一部分解斜視図、図３は図２に示す芳香剤容器の平面図、図４は前記芳香剤容器の底面図、図５は前記芳香剤容器の左側面図、図６は図３におけるＡ−Ａ線断面図、図７は図３におけるＢ−Ｂ線断面図、図８は図３におけるＣ−Ｃ線断面図である。また、図９は図１に示す衛生洗浄装置の内部構造を示す斜視図、図１０は図９の一部を拡大して示す分解斜視図である。
【００２１】
図１に示すように、本実施形態の衛生洗浄装置１０は洋式便器１上に設置され、図９，図１０に示すように、本体ケース内に、給水部（図示せず）と、給水部からの水により人体局部を洗浄する衛生洗浄ノズル２０の基部を収め、この洋式便器１のボウル部内の空気を吸引して排出する脱臭ファン２付きの脱臭風路３を有している。脱臭風路３の吸引口１１付近にはフィルタ９が配置され、吸引口１１から吸引した空気中の臭気を無臭化するための触媒８が脱臭ファン２の下流側の脱臭風路３内に配置されている。本実施形態の触媒８は、チタニア、シリカ基材に酸化マンガン処理を施すことによって形成されたものであり、臭気混じりの空気が触媒８を通過する間に無臭化される。
【００２２】
脱臭風路３は、触媒８の下流において衛生洗浄装置１０本体の側面方向に９０度折れ曲がり、図２に示すように、当該衛生洗浄装置１０本体の側面に位置する本体カバー１０ａ側面の開口部１０ｂに臨む位置に脱臭風路３の排気口４が開設され、略長方形の排気口４の開口部分には、通気性を有するルーバ７が着脱可能に装着されている。ルーバ７に向かって左下のコーナ寄りの部分には、芳香剤容器５を挿入するための開口部７ａが開設され、この開口部７ａに芳香剤容器５が挿入されている。
【００２３】
また、芳香剤容器５を着脱する際の指先挿入スペースとなる凹部７ｂが、ルーバ７の開口部７ａの上下部分に設けられている。芳香剤容器５の収容部５ａには、後述する芳香剤Ｒを含浸させた含浸用パッド６が着脱可能に収容されている。即ち、脱臭風路３の排気口４近傍に、芳香発生源である含浸用パッド６を収容した芳香剤容器５が着脱可能に取り付けられている。
【００２４】
芳香発生源は、一般的には放っておいても芳香成分が徐々に揮発するのだが、この実施形態のように、ボウル部内の空気を吸引して排出する脱臭風路に芳香発生源を配置したことにより、脱臭ファン２により発生する風により芳香発生源からの揮発量を高めることができる。すなわち、この実施形態においては、脱臭ファン２が芳香揮発手段として働いているのである。
【００２５】
図２に示すように、ルーバ７は、その外周に設けられた複数の係合爪７ｃを、本体カバー１０ａの側面の開口部１０ｂの内周部分に係合・離脱させることによって、開口部１０ｂに装着・離脱可能である。また、開口部１０ｂから見える脱臭風路３内において、ルーバ７の開口部７ａの背面に位置する部分には、この開口部７ａから差し込まれた芳香剤容器５を収納するために脱臭風路３の終端部分を拡径させて形成した棚状の収納部１５が設けられ、収納部１５の奥には、芳香剤容器５の背面に突設された係合部５ｂを挿入することによって芳香剤容器５を着脱可能に保持するラッチ機構１４が設けられている。
【００２６】
図３〜図８に示すように、芳香剤容器５の収容部５ａの底面部分は、底面から突設された十字状に交差する２つのリブ５ｃ，５ｅによって４つに区画されている。リブ５ｃ，５ｅの高さは、芳香剤容器５の上面から収容部５ａの底面までの距離の２０％程度に形成されている。芳香剤容器５の背面には、前述したラッチ機構１４に挿入、離脱可能な、平面視形状が略矢印形状の係合部５ｂが突設され、芳香剤容器５の正面には庇状に突出した上縁部５ｇと、この上縁部５ｇの前端から垂下した前縁部５ｆとが設けられている。前縁部５ｆの左右方向の中央部分は正面側に滑らかに膨出した曲面を成している。また、芳香剤容器５の左右側面にはそれぞれ、収容部５ａから隙間５ｉを設けて離れた位置に前後方向に形成された弾性支持体５ｈと、弾性支持体５ｈと一体的に形成された爪片５ｄとを備えている。
【００２７】
衛生洗浄装置１０においては、便座に座った人から見て左側面に位置する本体カバー１０ａの左側面に、芳香発生源である含浸用パッド６が収容された芳香剤容器５が着脱可能な状態で位置しているため、使用者は便座１ａ（図１参照）に着座した姿勢のままで片手を伸ばして、後述する手順に沿って操作することにより、ルーバ７から芳香剤容器５を取り外して、そのメンテナンス、例えば、芳香剤の充填、取り替えなどを簡単に行うことができる。
【００２８】
ここで、図１１〜図１３を参照して、芳香剤容器５の取り外し方法、芳香剤充填方法および芳香剤容器の取り付け方法について説明する。図１１は芳香剤容器５の取り外し方法を示す斜視図、図１２は芳香剤容器５に対する芳香剤充填方法を示す斜視図、図１３は芳香剤容器の取り付け方法を示す斜視図である。
【００２９】
芳香剤容器５を取り外す場合、図１１（ａ）に示すように、ルーバ７に装着された状態にある芳香剤容器５の前縁部５ｆを奥に向かってルーバ７の開口部７ａの上下部分に形成された凹部７ｂに手指を入れ込むように軽く押し込んだ後、前縁部５ｆから手指を離すと、ラッチ機構１４の作用により、図１１（ｂ）に示すように、芳香剤容器５の正面部分が１０ｍｍ程度突出する。このとき、芳香剤容器５の左右両側にある弾性支持体５ｈの爪片５ｄが、収納部１５の左右部分の受け面１５ａおよび開口部７ａの内周の左右部分の受け面７ｄに係合することによって、１０ｍｍ程度突出した状態で止まるようになっている。
【００３０】
次に、図１１（ｃ）に示すように突出した芳香剤容器５を手指で把持して引き出すと、図１１（ｄ）に示すように、ルーバ７の開口部７ａから芳香剤容器５全体を取り外すことができる。この場合、ルーバ７の開口部７ａの上下部分に形成された凹部７ｂを、芳香剤容器５の突出部分を手指で把持する際の指先挿入スペースとして利用することもできるため、作業性が良好である。
【００３１】
次に、図１４〜図１６を参照して、ラッチ機構１４の構造および機能などについて説明する。図１４はラッチ機構１４を示す図、図１５はラッチ機構１４に芳香剤容器５を保持する状態を説明する遷移図、図１６は芳香剤容器５の保持を解除する状態を説明する遷移図である。
【００３２】
図１４に示すように、ラッチ機構１４は、後端が閉じ、前端が開放した固定筒１４１、ロッド１４２、ロッド上に回転自在に取り付けたカム爪１４３、固定筒１４１とロッド１４２との間で圧縮されるコイルバネ１４４から構成されている。
【００３３】
ロッド１４２の後半部は下面と後面に開放した開放部１４２Ａを有し、バネ１４４はこの開放部中に収容されている。従って、芳香剤容器５を差し込むことにより、ロッド１４２を固定筒１４１中に押込むと、コイルバネ１４４は固定筒１４１の後壁と開放部１４２Ａの前壁の間で圧縮され、次に芳香剤容器５を取り外す際の力を蓄える。なお、ロッド１４２の後半部上面には後にカム爪１４３を枢着し、前にストッパ１４２Ｂがある。ストッパ１４２Ｂは固定筒１４１の上壁に設けた前後方向の長孔１４１ｃに係合し、ロッド１４２の前後方向の摺動をガイドし、且つ規制する。
【００３４】
カム爪１４３の両端間の長さはロッド１４２の後半部の幅にほぼ等しく、その各端部にはＶ形の切欠き１４３ａと、丸味をもった一方の撫で肩の角１４３ｂを回転対称に有し、他方の角１４３ｃは爪の側面と切欠き１４３ａが交わって尖鋭である。また、固定筒１４１は一側の内壁の奥に、ロッド１４２が最も押込まれたときにカム爪１４３の一方の端部の切欠き１４３ａに係合してカム爪１４３を少量回転させる第１突起爪１４１ａ、他側の内壁には奥から少し離れて第２突起爪１４１ｂを有する。
【００３５】
芳香剤容器５を収納するときは固定筒１４１中に引込み、芳香剤容器５を取り出すときには固定筒１４１の外に出るロッド１４２の前半部は、薄肉のヒンジ１４２ｂで後半部と連接した対の保持片１４２ａ，１４２ａになっている。この一対の保持片１４２ａ，１４２ａは斜め外向きに開いた逆ハ字形に成形し、且つ各保持片１４２ａのヒンジ側の基部内面と、保持片１４２ａが芳香剤容器５の係合部５ｂを保持するため固定筒１４１の内部に没入したときに上記基部内面に対向するロッド１４２の後半部の前端面のどちらか一方、又は双方に変形する突起１４２ｃを設ける。
【００３６】
従って、芳香剤容器５を収納するために押すと、係合部５ｂはロッド１４２の後半部前端面に当接してロッド１４２を固定筒１４１の内部に押込む。これによりロッド１４２の前半部である一対の保持片１４２ａ，１４２ａは固定筒中に入ろうとして固定筒１４１の口縁に摺接し、夫々ヒンジ１４２ｂを撓めて内向きに曲がり、ヒンジ側の基部内面と、ロッド１４２の後半部の前端面のどちらか一方、又は双方にある突起１４２ｃは当接して変形し、この状態で係合部５ｂの先端部を挟む。
【００３７】
カム爪１４３、両突起爪１４１ａ，１４１ｂの作動は、芳香剤容器５を保持していない状態（図１５（ａ））から、芳香剤容器５の収納位置を少し過ぎるまで芳香剤容器５を差し込み、コイルバネ１４４に抗してロッド１４２を固定筒１４１中に最も深く押込むと、カム爪１４３は第１突起爪１４１ａで少量回動する（図１５（ｃ））。
【００３８】
この状態で芳香剤容器５を押すのを止めるとコイルバネ１４４の復元力でロッド１４２は少し押出され、芳香剤容器５は飛び出す方向に少し動くが、少量回動したカム爪１４３の切欠き１４３ａの一側が途中の第２突起爪１４１ｂに係合してカム爪１４３は更に回動し、鋭利な角１４３ｃが固定筒１４１の一側の内壁に引掛かり、カム爪１４３は固定筒中で約４５°回動した状態に詰まってそれ以上にロッド１４２は押出されず、固定筒１４１に対しロックされる（図１５（ｄ））。なお、この位置で芳香剤容器５は丁度収納された状態になる。
【００３９】
次に、芳香剤容器５を取り出すには芳香剤容器５を再び押す。するとロッド１４２は再び奥まで押込まれ、カム爪１４３は撫で肩の角１４２ｂで第１突起爪１４１ａに係合して更に約４５°回動してロッド１４２とほぼ直交した向きになる（図１６（ｂ））。そこで、押すのを止めるとバネ１４４の復元力でロッド１４２は押出され、カム爪１４３は撫で肩の角１４３ｂで第２突起爪１４１ｂと係合して更に９０°回動し、ロッド１４２と揃った向きになり（図１６（ｃ））、ストッパ１４２Ｂが長孔１４１ｃの前端に当接するまでロッド１４２は押出され（図１６（ｄ））、芳香剤容器５は飛び出す。
【００４０】
次に、図１２（ａ）に示すように、芳香剤容器１３の蓋に付設されているスポイト１２を手指Ｆで摘んで液状の芳香剤Ｒを吸い上げ、図１２（ｂ）に示すように、芳香剤容器５に収容されている含浸用パッド６に向かって滴下する。これによって、含浸用パッド６に芳香剤Ｒが含浸されていき、芳香剤容器５に芳香剤が充填された状態となる。１回の動作で含浸用パッド６全体に芳香剤Ｒが含浸されない場合は、図１２（ａ），（ｂ）の動作を繰り返す。
【００４１】
そして、図１３（ａ）に示すように、ルーバ７の開口部７ａに向かって芳香剤容器５を近づけ、背面にある係合部５ｂから開口部７ａに差し込んだ後、前縁部５ｆを奥に向かって軽く押圧すると、芳香剤容器５の背面部分が収納部１５（図２参照）に収納されるとともに、係合部５ｂがラッチ機構１４（図２参照）に挿入されることによって、芳香剤容器５が開口部７ａに取り付けられる。
【００４２】
このように、使用者は、図１１〜図１３に示した手順に沿って作業を行うことにより、ルーバ７から芳香剤容器５を取り外して芳香剤充填を簡単に行うことが可能であり、芳香剤充填後の芳香剤容器５の再装着も簡単であるため、メンテナンスは極めて容易である。
【００４３】
芳香剤容器５内に着脱可能に収容された含浸用パッド６に芳香剤Ｒを含浸させているため、ルーバ７の開口部７ａから芳香剤容器５を取り外して、含浸用パッド６に芳香剤Ｒを含浸させるだけで芳香剤充填ができるため、充填作業も容易である。なお、芳香剤Ｒを含浸させた含浸用パッド６の代わりに、固形状、顆粒状若しくは半固形状（練り状など）の芳香剤を芳香剤容器５に収容することも可能である。また、芳香剤Ｒを含浸用パッド６に含浸させる代わりに、含浸用パッド６ごとあるいは含浸用パッド６を含めた芳香剤容器５ごと交換してもよい。
【００４４】
また、脱臭風路３の排気口４に、芳香剤容器５を挿入するための開口部７ａを有するルーバ７を配置し、この開口部７ａに芳香剤容器５を着脱可能に挿入する構成としたことにより、芳香剤容器５を着脱する部位がルーバ７に位置することとなる。このため、このような着脱部位を衛生洗浄装置１０の本体に別途設ける場合に比べ、外観上の違和感がなくなり、意匠性も向上する。
【００４５】
さらに、図２で示したように、脱臭風路３に芳香剤容器５の収納部１５を設け、芳香剤容器５を着脱可能に保持するためのラッチ機構１４を収納部１５内に設けるとともに、芳香剤容器５を着脱する際の指先挿入スペースとなる凹部７ｂをルーバ７の開口部７ａの上下部分に設けている。従って、図１１（ｃ）で示したように、指先挿入スペースを凹部７ｂで確保することができるようになり、これによって、芳香剤容器５のルーバ７外への突出寸法を小さく抑制できるため、衛生洗浄装置１０の外部への出っ張りを無くすことができる。
【００４６】
一方、芳香剤容器５の左右両側に爪片５ｄを設け、収納部１５の左右部分および開口部７ａの内周の左右部分にそれぞれ、芳香剤容器５を取り出す際に爪片５ｄが接触する受け面１５ａ，７ｄを設けている。このため、芳香剤容器５を開口部７ａから取り外す際に、ラッチ機構１４から芳香剤容器５が誤って飛び出すのを防止することができ、操作性も良好である。
【００４７】
次に、図１７を参照し、衛生洗浄装置１０における脱臭ファン２（図９，図１０参照）の運転状態について説明する。図１７（ａ）は従来の衛生洗浄装置の脱臭ファンの運転モードを示す説明図であり、図１７（ｂ），（ｃ）は本実施形態の衛生洗浄装置の脱臭ファンの運転モードを示す説明図である。
【００４８】
従来の衛生洗浄装置においては、図１７（ａ）に示すように、使用者が着座すると着座センサがそれを検知して脱臭ファンがノーマル運転を開始する（Ｓ２０）。そして、使用者が離座するとそれを着座センサが検知して、脱臭ファンの回転速度を増大させてパワー運転へ移行し（Ｓ２１）、その後、予め設定された時間（例えば、１分）が経過するとタイムアップして脱臭ファンが停止する（Ｓ２２）。また、使用者が着座してノーマル運転が開始された（Ｓ２０）後、使用者が離座することなく、予め設定された時間が経過した場合もタイムアップして脱臭ファンが停止する（Ｓ２２）ようになっている。
【００４９】
このような従来の衛生洗浄装置においては、便座に着座しない男子小用の場合、着座センサが使用者を検知しないので、脱臭ファンが全く作動せず、臭気を消すことができないという問題があった。これをこの実施形態に照らせば、男子小用の場合は、芳香発生の効果もほとんど期待できないことになる。
【００５０】
一方、図１に示すように、本実施形態の衛生洗浄装置１０は、着座センサ（図示せず）の他に、便器１に使用者が接近したことを検知する人体検知センサ１ｂを備え、これらの２つのセンサにより使用者の状況を検知する。従って、脱臭ファン２（図９，図１０参照）は、図１７（ｂ）あるいは図１７（ｂ）に示すような運転モードを採用することができる。
【００５１】
図１７（ｂ）に示す運転モードの場合、使用者が便器１に接近すると、人体検知センサ１ｂがそれを検知して脱臭ファン２がノーマル運転を開始する（Ｓ３０）。そして、使用者が着座せずに一定時間（例えば、人体検知センサ１が人体検知後３０秒）が経過するとタイムアップして脱臭ファン２が停止する。従って、使用者が男子小用のみの場合においても脱臭ファン２が作動して臭気を消すことができる上、トイレ内に芳香成分を漂わすことができる。
【００５２】
また、使用者が着座した場合は、従来と同様、その後、使用者が離座した時点で着座センサがそれを検知し、脱臭ファン２の回転速度を増大させてパワー運転へ移行し（Ｓ３１）、その後、予め設定された時間（例えば、１分）が経過するとタイムアップして脱臭ファンが停止する（Ｓ３２）。また、ノーマル運転が開始された（Ｓ３０）後、着座した使用者が離座することなく、予め設定された時間が経過した場合もタイムアップして脱臭ファンが停止する（Ｓ３２）ようになっている。
【００５３】
一方、図１７（ｃ）に示す運転モードの場合、使用者が便器１に近づき人体接近センサ１ｂがそれを検知すると、脱臭ファン２がパワー運転を開始する（Ｓ４１）。そして、使用者が着座して着座センサがそれを検知すると、脱臭ファン２は減速してノーマル運転に移行する（Ｓ４０）。その後、使用者が離座すると、脱臭ファン２は再びパワー運転を開始し、設定時間（例えば、離座後１分）が経過すると、脱臭ファン２が停止する（Ｓ４２）。
【００５４】
また、脱臭ファン２がパワー運転を開始した（Ｓ４１）後、使用者が着座することなく設定時間（例えば、人体検知後３０秒）が経過した場合もタイムアップして脱臭ファン２が停止する（Ｓ４２）。従って、使用者が男子小用のみの場合においても脱臭ファン２が作動して臭気を消すとともに芳香成分を発することができる。この場合、使用者が接近した時点で脱臭ファン２がパワー運転を開始するため、最初から強力な脱臭効果を得ることができる。
【００５５】
一方、脱臭ファン２がパワー運転を開始した（Ｓ４１）後、使用者が着座して着座センサがそれを検知し、脱臭ファン２がノーマル運転に移行した（Ｓ４０）後、使用者が離座することなく設定時間が経過した場合もタイムアップして脱臭ファン２が停止する（Ｓ４２）ようになっている。
【００５６】
なお、図１７（ａ），（ｂ）のいずれの運転モードの場合においても、使用者が着座した状態で脱臭ファン２がパワー運転（Ｓ３１，Ｓ４１）することがないように設定されているため、脱臭ファン２の吸引に伴って便器１のボウル部に生じる吸い込み気流によって使用者が寒気を感じることは無い。
【産業上の利用可能性】
【００５７】
本発明の衛生洗浄装置は、一般家庭のトイレから公共設備に設けられたトイレに至るまで、様々な場所のトイレにおいて広く利用することができる。
【図面の簡単な説明】
【００５８】
【図１】本発明の実施の形態である衛生洗浄装置を示す斜視図である。
【図２】図１に示す衛生洗浄装置の一部分解斜視図である。
【図３】図２に示す芳香剤容器の平面図である。
【図４】図３に示す芳香剤容器の底面図である。
【図５】図３に示す芳香剤容器の左側面図である。
【図６】図３におけるＡ−Ａ線断面図である。
【図７】図３におけるＢ−Ｂ線断面図である。
【図８】図３におけるＣ−Ｃ線断面図である。
【図９】図１に示す衛生洗浄装置の内部構造を示す斜視図である。
【図１０】図９の一部を拡大して示す分解斜視図である。
【図１１】芳香剤容器の取り外し方法を示す斜視図である。
【図１２】芳香剤容器に対する芳香剤充填方法を示す斜視図である。
【図１３】芳香剤容器の取り付け方法を示す斜視図である。
【図１４】（ａ）はラッチ機構の平面図、（ｂ）はラッチ機構の縦断側面図である。
【図１５】ラッチ機構が芳香剤容器を保持しようとする状態を（ａ）〜（ｄ）に示した状態遷移図である。
【図１６】ラッチ機構が芳香剤容器の保持を解除しようとする状態を（ａ）〜（ｄ）に示した状態遷移図である。
【図１７】（ａ）は従来の衛生洗浄装置の脱臭ファンの運転モードを示す説明図であり、（ｂ），（ｃ）は本実施形態の衛生洗浄装置の脱臭ファンの運転モードを示す説明図である。
【符号の説明】
【００５９】
１  洋式便器
１ａ  便座
１ｂ  人体接近センサ
２  脱臭ファン
３  脱臭風路
４  排気口
５  芳香剤容器
５ａ  収容部
５ｂ  係合部
５ｃ，５ｅ  リブ
５ｄ  爪片
５ｆ  前縁部
５ｇ  上縁部
５ｈ  弾性支持体
５ｉ  隙間
６  含浸用パッド
７  ルーバ
７ａ，１０ｂ  開口部
７ｂ  凹部
７ｃ  係合爪
７ｄ，１５ａ  受け面
８  触媒
９  フィルタ
１０  衛生洗浄装置
１０ａ  本体カバー
１１  吸引口
１２  スポイト
１３  芳香剤容器
１４  ラッチ機構
１５  収納部
２０  衛生洗浄ノズル
１４１  固定筒
１４１ａ  第１突起爪
１４１ｂ  第２突起爪
１４１ｃ  長孔
１４２  ロッド
１４２Ａ  開放部
１４２Ｂ  ストッパ
１４２ａ  保持片
１４２ｂ  ヒンジ
１４２ｃ  突起
１４３  カム爪
１４３ａ  切欠き
１４３ｂ  撫で肩の角
１４３ｃ  鋭利な角
１４４  コイルバネ
Ｆ  手指
Ｒ  芳香剤
【図１】
2006138137.tif 000003
【図２】
2006138137.tif 000004
【図３】
2006138137.tif 000005
【図４】
2006138137.tif 000006
【図５】
2006138137.tif 000007
【図６】
2006138137.tif 000008
【図７】
2006138137.tif 000009
【図８】
2006138137.tif 000010
【図９】
2006138137.tif 000011
【図１０】
2006138137.tif 000012
【図１１】
2006138137.tif 000013
【図１２】
2006138137.tif 000014
【図１３】
2006138137.tif 000015
【図１４】
2006138137.tif 000016
【図１５】
2006138137.tif 000017
【図１６】
2006138137.tif 000018
【図１７】
2006138137.tif 000019